(57)【要約】【課題】遊戯機における障害釘の周面に接離させる釘間隔測定用の平行開閉アームの動きを阻害する無用な機械的負荷を無くし、肝心の釘間隔を精確かつ、容易に測定表示可能とすること。【解決手段】ほぼピストル状の釘間隔測定具３の先端に二本の障害釘２に接離させる固定アーム４と平行開閉アーム５とを対向突設し、平行開閉アーム５の先端を固定アーム４の先端と共に各障害釘２の対向周面２Ａに弾接させることで、平行開閉アーム５に配設した可動光源Ｌからのビーム光を無接触で受ける光源位置センサＰから前記弾接ポイントに対応した釘間隔データ信号Ｓ１を検出し、この信号Ｓ１を演算処理して釘間隔計数信号Ｓ２に変換後、現字表示体Ａを駆動制御して二本の障害釘２の内法間隔Ｄを前記表示体Ａで数値表示可能となした。【選択図】  図１
2004230006.tif 000002
【特許請求の範囲】
【請求項１】
遊戯機におけるセル板面１に植設した二本の障害釘２の内法間隔Ｄをほぼピストル状の釘間隔測定具３により測定する装置において、前記釘間隔測定具３の先端に前記各障害釘２に接離させる固定アーム４と平行開閉アーム５とを対向突設し、平行開閉アーム５の先端を固定アーム４の先端と共に各障害釘２の対向周面２Ａに弾接させることで、平行開閉アーム５に配設した可動光源Ｌからのビーム光を無接触で受ける光源位置センサＰから前記弾接ポイントに対応した釘間隔データ信号Ｓ１を検出し、この信号を演算処理して釘間隔計数信号Ｓ２に変換後、現字表示体Ａを駆動制御することで、二本の障害釘２の内法間隔Ｄを前記表示体Ａで数値表示可能となした遊戯機における釘間隔測定装置。
【請求項２】
遊戯機におけるセル板面１に植設した二本の障害釘２の内法間隔Ｄをほぼピストル状の釘間隔測定具３により測定する装置において、前記釘間隔測定具３の先端に前記各障害釘２の対向周面２Ａにそれぞれ接離させる固定アーム４と平行開閉アーム５とを対向突設し、平行開閉アーム５は前記固定アーム４に対して平行ガイド部材６により平行開閉可能に、しかもばね部材７およびストッパ８により常には前記固定アーム４に対して所定間隔開いた状態で定位可能に配設し、この平行開閉アーム５を前記釘間隔測定具３に設けたトリガ部材９の操作で進退するカム部材１０により、前記ばね部材７の弾力に抗して閉じた状態で、前記各アーム４・５の各先端をそれぞれ前記各障害釘２の対向周面２Ａの間に挿入した後、前記トリガ操作の解除により前記平行開閉アーム５を前記ばね部材７の弾力で開いてこの平行開閉アーム５の先端を固定アーム４の先端と共に各障害釘２の対向周面２Ａに弾接させることで、平行開閉アーム５に配設した可動光源Ｌからのビーム光を無接触で受ける光源位置センサＰから前記弾接ポイントに対応した釘間隔データ信号Ｓ１を検出し、このデータ信号Ｓ１を演算処理して釘間隔計数信号Ｓ２に変換後、この計数信号Ｓ２により現字表示体Ａを駆動制御することで、二本の障害釘２の内法間隔Ｄを前記表示体Ａで数値表示可能となした遊戯機における釘間隔測定装置。
【請求項３】
遊戯機におけるセル板面１に植設した二本の障害釘２の内法間隔Ｄをほぼピストル状の釘間隔測定具３により測定する装置において、前記釘間隔測定具３の先端に前記各障害釘２の対向周面２Ａにそれぞれ接離させる固定アーム４と平行開閉アーム５とを対向突設し、平行開閉アーム５は前記固定アーム４に対して平行ガイド部材６により平行開閉可能に、かつ、ばね部材７とストッパ８とにより常には前記固定アーム４に対して所定間隔開いた状態で定位可能に配設し、この平行開閉アーム５を前記釘間隔測定具３に設けたトリガ部材９の操作で進退するカム部材１０により、前記ばね部材７の弾力に抗して閉じた状態で、前記各アーム４・５の各外向き突面４Ａ・５Ａをそれぞれ前記各障害釘２の対向周面２Ａの間に挿入した後、前記トリガ操作の解除により前記平行開閉アーム５を前記ばね部材７の弾力で開いてこの平行開閉アーム５の外向き突面５Ａを固定アーム４の外向き突面４Ａと共に各障害釘２の対向周面２Ａに弾接させることで、平行開閉アーム５に配設した可動光源Ｌからのビーム光を無接触で受ける光源位置センサＰから前記弾接ポイントに対応した釘間隔データ信号Ｓ１を検出し、この信号Ｓ１を演算処理して釘間隔計数信号Ｓ２に変換後、この計数信号Ｓ２により現字表示体Ａを駆動制御することで、二本の障害釘２の内法間隔Ｄを前記表示体Ａで数値表示可能となした遊戯機における釘間隔測定装置。
【請求項４】
前記現字表示体Ａの表示面を釘間隔測定具３の外面に配置することで、前記各障害釘２の内法間隔Ｄを釘間隔測定具３の外面で数値表示可能となした請求項１から請求項３までのいずれか一つの請求項に記載の遊戯機における釘間隔測定装置。
【請求項５】
前記釘間隔測定具３をカバー部材１１で前記各アーム４・５およびトリガ部材９を除いて隠蔽してなる請求項１から請求項３までのいずれか一つの請求項に記載の遊戯機における釘間隔測定装置。
【請求項６】
前記釘間隔測定具３をカバー部材１１で前記現字表示体Ａの表示面および前記各アーム４・５とトリガ部材９とを除いて隠蔽してなる請求項４に記載の遊戯機における釘間隔測定装置。
【請求項７】
前記平行開閉アーム５にプーリ１２を設け、このプーリを前記カム部材１０に転接させ、平行開閉アーム５をトリガ部材９の操作で変位可能となした請求項１から請求項６までのいずれか一つの請求項に記載の遊戯機における釘間隔測定装置。
【請求項８】
遊戯機におけるセル板面１に植設した二本の障害釘２の内法間隔Ｄをほぼピストル状の釘間隔測定具３により測定するに当たり、前記釘間隔測定具３の先端に対向突設した固定アーム４と平行開閉アーム５の各先端を各障害釘２の対向周面２Ａに弾接させることで、平行開閉アーム５に配設した可動光源Ｌからのビーム光を無接触で受ける光源位置センサＰから前記弾接ポイントに対応した釘間隔データ信号Ｓ１を検出し、この信号を演算処理して釘間隔計数信号Ｓ２に変換後、現字表示体Ａを駆動制御することで、二本の障害釘２の内法間隔Ｄを前記表示体Ａで数値表示可能となした遊戯機における釘間隔測定方法。
【請求項９】
遊戯機におけるセル板面１に植設した二本の障害釘２の内法間隔Ｄをほぼピストル状の釘間隔測定具３により測定するに当たり、前記釘間隔測定具３の先端に突設した固定アーム４に対して平行ガイド部材６により、平行開閉可能にかつ、ばね部材７およびストッパ８で常には所定間隔開いた状態で定位可能にした平行開閉アーム５を前記釘間隔測定具３に設けたトリガ部材９の操作によりカム部材１０を介して前記ばね部材７の弾力に抗し閉じた状態で、前記各アーム４・５の各先端をそれぞれ前記各障害釘２の対向周面２Ａの間に挿入した後、前記トリガ操作の解除により前記平行開閉アーム５を前記ばね部材７の弾力で開いてこの平行開閉アーム５の先端を固定アーム４の先端と共に各障害釘２の対向周面２Ａに弾接させることで、平行開閉アーム５に配設した可動光源Ｌからのビーム光を無接触で受ける光源位置センサＰから前記弾接ポイントに対応した釘間隔データ信号Ｓ１を検出し、このデータ信号Ｓ１を演算処理して釘間隔計数信号Ｓ２に変換後、この計数信号Ｓ２により現字表示体Ａを駆動制御することで、二本の障害釘２の内法間隔Ｄを前記表示体Ａで数値表示可能となした遊戯機における釘間隔測定方法。
【請求項１０】
遊戯機におけるセル板面１に植設した二本の障害釘２の内法間隔Ｄをほぼピストル状の釘間隔測定具３により測定するに当たり、前記釘間隔測定具３の先端に突設した固定アーム４に対して平行ガイド部材６により、平行開閉可能にかつ、ばね部材７およびストッパ８で常には所定間隔開いた状態で定位可能にした平行開閉アーム５を前記釘間隔測定具３に設けたトリガ部材９の操作でカム部材１０を介して前記ばね部材７の弾力に抗し閉じた状態で前記各アーム４・５の各外向き突面４Ａ・５Ａをそれぞれ前記各障害釘２の対向周面２Ａの間に挿入した後、前記トリガ操作の解除により前記平行開閉アーム５を前記ばね部材７の弾力で開いてこの平行開閉アーム５の外向き突面５Ａを固定アーム４の外向き突面４Ａと共に各障害釘２の対向周面２Ａに弾接させることで、平行開閉アーム５に配設した可動光源Ｌからのビーム光を無接触で受ける光源位置センサＰから前記弾接ポイントに対応した釘間隔データ信号Ｓ１を検出し、この信号Ｓ１を演算処理して釘間隔計数信号Ｓ２に変換後、この計数信号Ｓ２により現字表示体Ａを駆動制御することで、二本の障害釘２の内法間隔Ｄを前記表示体Ａで数値表示可能となした遊戯機における釘間隔測定方法。
【発明の詳細な説明】
【０００１】
【発明の属する技術分野】
本発明は、遊戯機における釘間隔測定装置と釘間隔測定方法に係り、特にパチンコ遊戯機や雀球遊戯機とかスマートボール遊戯台などにおけるセル板に植設した複数の障害釘の間隔測定装置と釘間隔測定方法に関する。
【０００２】
【従来の技術】
パチンコ遊戯機における釘間隔確認作業は、出玉率に直接係わる極く精密かつ、面倒でも重要な作業であるため、従来では遊戯機のセル板面に植設した二本の障害釘の内法間隔をほぼピストル状の釘間隔測定具を用いて実行している。
その従来例としては、特許第３０１０５４３号公報、特許第３０８４５６０号公報および特開平１０−４３３７４号公報記載のものがそれぞれ周知である。
これらの各従来例は、遊戯機における二本の障害釘の内法間隔を測定するに当たり、ほぼピストル状の釘間隔測定具の先端に突設した二本一対の回動アームを前記釘間隔測定具に設けたトリガ部材の操作により閉じた状態で前記各障害釘の対向周面の間に挿入した後、前記トリガ操作の解除により前記各アームを開いて各アームの先端を各障害釘の対向周面に弾接させることで、前記二本の障害釘の内法間隔を測定できるとした釘間隔測定装置である。
【０００３】
【発明が解決しようとする課題】
これら従来例における肝心の回動アームの変位量に対応して前記ロータリーエンコーダを回動変位させる点について吟味すると、前記各従来例公報中、唯一の具体的な記載例によれば、回動アームの変位を先ず、この回動アームのラック部分に噛合した平ギヤの回転変位量に機械的に変換し、この平ギヤの回転力でこれに結合したロータリーエンコーダを機械的に回動させることで、上記平ギヤの回転変位量を電気信号変化量に変換し、この変化信号の演算処理信号で前記二本の障害釘の内法間隔を測定できるとした釘間隔測定装置であるので、肝心の回動アームの動きを阻害する無用な機械的負荷が多く存在している。
【０００４】
すなわち、これら各従来例では、回動アームの変位を先ず、この回動アームのラック部分に噛合した平ギヤの回転変位量に機械的に変換し、この平ギヤの回転力でこれに結合したロータリーエンコーダを機械的に回動させるものであるから、上記回動アームの動きを機械的に阻害する要素が多く存在するため、釘間隔測定結果に大きな間違いが生じる危険が有るし、回動ラックに噛合した平ギヤは、その噛合部分にバックラッシュと称する噛合間隙や噛合ムラなどによる機械的な誤差が生じるだけでなく、前記ロータリーエンコーダ自体にもその機械−電気変換部分におけるメカ的誤差および電気的な誤差も生じるため、これら各従来例は、メカ的にも電気的にも不安定要素が多く存在し、肝心の釘間隔測定結果に大きな誤差が生じ易いという本質的な問題点が有るほかに、機械的に構成複雑かつ、部品点数も多く要するため、部品管理・組立製造・販売・購入・使用のすべての面で扱い辛く不便で面倒であるという本質的かつ、大きな問題点が有る。
【０００５】
また、偏平箱状の釘間隔測定具内の対物レンズとＣＣＤ撮像素子とを用いて二本の障害釘の間隔を測定表示できるとしている特開２００１−２１２２９４号公報も有るが、この公報には釘間隔測定用回動アームにおける測定マーカを上記ＣＣＤ撮像素子でビデオカメラ式に撮像する過程の記載が有るだけで、撮像済映像から実際にどのようにして釘間隔測定結果を表示できるのかという肝心な電気的プロセスの記載が何もなく、単なる願望事項の記載に止まり、全体的に漠としていて著しく不明な点が多い本質問題が有る公開公報であって、これで果して二本の障害釘の内法間隔を測定表示できるかどうか極めて疑わしい従来例である。
【０００６】
この発明は、上記従来例公報記載の多くの問題点をすべて除去するために、遊戯機における障害釘の周面に接離させる釘間隔測定用の平行開閉アームの動きを阻害する無用な機械的負荷を無くし、肝心の釘間隔を精確かつ、容易に測定表示可能とすることを目的とする。
【０００７】
【課題を解決するための手段】
上記した本発明の目的は、遊戯機における二本の障害釘の内法間隔をほぼピストル状の釘間隔測定具により測定する釘間隔測定装置を構成するに当たり、前記釘間隔測定具の先端に前記各障害釘に接離させる固定アームと平行開閉アームとを対向突設し、平行開閉アームの先端を固定アームの先端と共に各障害釘の対向周面に弾接させることで、平行開閉アームに配設した可動光源からのビーム光を無接触で受けるチャージ・カップル・デバイス（ＣＣＤ）などを用いた光源位置センサから前記弾接ポイントに対応した釘間隔データ信号を検出し、この信号を演算処理して釘間隔計数信号に変換後、現字表示体を駆動制御することで、各障害釘の内法間隔を前記表示体で数値表示可能となしたことで達成できた。
なお、前記各アームの先端には、外向き突面を形成してもよく、また、現字表示体の表示面を釘間隔測定具の外面に配置して前記内法間隔を釘間隔測定具自体で数値表示可能とすることもでき、さらに前記釘間隔測定具をカバー部材で現字表示体の表示面および前記各アームおよびトリガ部材を除いて隠蔽してもよく、さらにまた、前記平行開閉アームにプーリを設け、このプーリを前記カム部材に転接させ、平行開閉アームをトリガ部材の操作で変位可能となしてもよい。
【０００８】
【発明の実施の形態】
本発明の実施の形態のうち、先ず、本発明の基本的な形態例を説明する。
本発明の基本的な形態は、パチンコ遊戯機や雀球遊戯機とかスマートボール遊戯台などにおける図１のようなセル板面１に植設した二本の障害釘２の内法間隔Ｄ（パチンコ遊戯機では１１〜１３ｍｍ程度）を同図１および図２のようなほぼピストル状の釘間隔測定具３により測定する釘間隔測定装置を構成するに当たり、本発明では先ず、前記釘間隔測定具３の先端に上記各図のように前記各障害釘２の対向周面２Ａに接離させる外向き突面４Ａ・５Ａをそれぞれ先端に有する固定アーム４と平行開閉アーム５とを対向突設し、この平行開閉アーム５は図３のように前記固定アーム４に対して平行ガイド部材６により図４および図５のように平行開閉可能に、しかもばね部材７およびストッパ８により常には前記固定アーム４に対して図４のように所定間隔開いた状態で定位可能に配設する。
【０００９】
次いで、前記平行開閉アーム５を釘間隔測定具３に枢軸９Ａで枢支して設けたトリガ部材９の操作により、図６および図７のように前後に回動する斜面付きのカム部材１０と、これに転接させたプーリ１１とを介し前記ばね部材７の弾力に抗して図７のように閉じた状態で、前記各アーム４・５の各外向き突面４Ａ・５Ａをそれぞれ前記各障害釘２の対向周面２Ａの間に図５のように挿入した後、前記トリガ操作の解除により前記平行開閉アーム５を前記ばね部材７の弾力で開いてこの平行開閉アーム５の外向き突面５Ａを固定アーム４の外向き突面４Ａと共に各障害釘２の対向周面２Ａに図１・図８のように弾接させることで、平行開閉アーム５に下向きに配設した凸レンズ付き発光ダイオードなどの可動光源Ｌからのビーム光を無接触で受け、その位置を一連のシーケンスで電気的に検出可能にプログラム構成したチャージ・カップル・デバイスなどによる図９のような光源位置センサＰから、上記弾接ポイントに対応して信号時間幅が図１０（ａ）のように前記内法間隔Ｄの範囲内で変化する釘間隔データ信号Ｓ１を検出し、このデータ信号Ｓ１を周知手段で演算処理して図１０（ｂ）のような釘間隔計数信号Ｓ２に変換後、この計数信号Ｓ２により液晶表示パネルなどの図２のような現字表示体Ａを駆動制御することで、二本の障害釘２の内法間隔Ｄを前記表示体Ａで同図２のように数値表示可能となした本発明による釘間隔測定装置を構成する。
【００１０】
ただし、上記図１０（ａ）における符号Ｐ１は、平行開閉アーム５の全閉ポイントであり、また符号Ｐ２は全開ポイントである。さらに符号Ｔは、前記トリガ部材９の解除操作開始直後にトリガスイッチＳにより、微分回路等周知手段で発生させるようにしたトリガパルスであり、このパルスＴを始点として前記釘間隔データ信号Ｓ１を発生させるのであるが、その持続時間幅は前記内法間隔Ｄの範囲内で前記弾接ポイントに対応して前記のように変化するようにし、このデータ信号Ｓ１に対応して前記釘間隔計数信号Ｓ２のパルス数が変化するように光源位置センサＰや演算処理回路をそれぞれ周知のプログラム制御手段で構成する。
なお、図２における符号ＳＷで示す部分は手動電源スイッチ、また各図における符号Ｎで示すものは、前記各部材を図３の固定ねじｎで所定の配置に組立てる固定部材であり、符号９Ｂで示す部分はトリガ部材９の枢支部９Ｃを前記枢軸９Ａで枢支する枢支孔、さらに符号９Ｄで示すものはトリガ部材９の復帰用蔓巻きばねであり、また図９における符号１３で示すものは、前述したトリガ引き操作で可動光源Ｌと共に矢示方向に動く小孔１３Ａ付きの外光遮断板である。
前記各機構部材は、金属等の強靱材で精度よく作り、また前記釘間隔測定具３を図３のようなプラスチックカバー部材１１で現字表示体Ａの表示面および前記各アーム４・５およびトリガ部材９を除いて図２のように隠蔽してもよい。
【００１１】
本発明の構成は以上のようなもので、以下その動作例につき説明する。
遊戯機における前記二本の障害釘２の内法間隔Ｄを測定するには、前記平行開閉アーム５を前記トリガ部材９の引き操作により図５のように閉じた状態で、前記各アーム４・５の各外向き突面４Ａ・５Ａをそれぞれ前記各障害釘２の対向周面２Ａの間に挿入した後、前記トリガ操作を解除することで、前記平行開閉アーム５を前記ばね部材７の弾力で開いてこの平行開閉アーム５の外向き突面５Ａを固定アーム４の外向き突面４Ａと共に各障害釘２の対向周面２Ａに図１・図８のように弾接させることで、前述したように光源位置センサＰから上記弾接ポイントに対応して前記内法間隔Ｄの範囲内で信号持続時間幅が変化する図１０（ａ）のような釘間隔データ信号Ｓ１を得ることができ、このデータ信号Ｓ１を前述したように演算処理して図１０（ｂ）のような釘間隔計数信号Ｓ２に変換後、この計数信号Ｓ２で現字表示体Ａを前述のように駆動制御することで、二本の障害釘２の内法間隔Ｄを前記表示体Ａで図２のように数値表示することができた。
【００１２】
【実施例】
前記可動光源Ｌは、トリガ部材９のトリガ操作で開閉するスイッチ（周知のものでよいから図示せず）で点滅させるようにしてもよく、前記カバー部材１１内には電源電池を内装してもよく、また前記各アームの外向き突面４Ａ・５Ａは省略してもよいが、このときには各アームを斜めに各障害釘２に宛がい各アームの外側自体が釘の大径頭部に当接しないようにして前記各アームの先端外面自体で前記と同様に釘間隔を測定することもでき、さらに現字表示体Ａは、釘間隔測定具３の外部にリード線を介して別に配置してもよいが、現字表示体Ａの表示面を前記のように釘間隔測定具３の外面に配置すれば、前記各障害釘２の内法間隔Ｄを釘間隔測定具３自体の外面で数値表示可能とすることもでき、また前記平行開閉アーム５に回転プーリ１２を設け、このプーリ１２を前記カム部材１０に転接させ、平行開閉アーム５をトリガ部材９の操作で変位可能となしてもよい。
【００１３】
【発明の効果】
本発明は、以上のような形態を採用したので、以下に記載の効果を奏する。
この発明における請求項１および請求項８の各発明によれば、遊戯機におけるセル板面１に植設した二本の障害釘２の内法間隔Ｄをほぼピストル状の釘間隔測定具３により測定するに当たり、前記釘間隔測定具３の先端に前記各障害釘２に接離させる固定アーム４と平行開閉アーム５とを対向突設し、平行開閉アーム５の先端を固定アーム４の先端と共に各障害釘２の対向周面２Ａに弾接させることで、平行開閉アーム５に配設した可動光源Ｌからのビーム光を無接触で受け、ビーム光変位を信号変化に変換できる光源位置センサＰから前記弾接ポイントに対応した釘間隔データ信号Ｓ１を無接触で検出することができ、この信号を演算処理して釘間隔計数信号Ｓ２に変換後、現字表示体Ａを駆動制御することで、二本の障害釘２の内法間隔Ｄを前記表示体Ａで精確に数値表示することができた。
【００１４】
したがって、本発明における前記各発明によれば、平行開閉アーム５に配設した可動光源Ｌからのビーム光を無接触で受ける前記光源位置センサＰから前記弾接ポイントに対応した釘間隔データ信号Ｓ１を無接触で検出することができるから、平行開閉アームの動きを阻害する無用な機械的負荷を無くすることができ、前記従来例のように可動アームの動きを機械的に阻害する要素による釘間隔測定結果に間違いが生じないし、前記従来例における回動ラックや平ギヤなどのギヤ組とかロータリーエンコーダなどの機械的構成要素を本発明では全く用いていないので、ギヤの噛合ムラや噛合間隙などによる機械的な誤差をも本発明では無くせたし、エンコーダ自体の機械−電気変換部分におけるメカ的誤差および電気的な誤差も本発明では生じることがなく、したがって本発明によれば、前記各従来例よりもメカ的にも電気的にも格段に安定かつ、精密に各部の動作を達成できたので、肝心の釘間隔測定結果を極く精確迅速かつ、容易に現字表示することができたし、本発明では前記各従来例に比べ、構成を簡素化できたので、部品管理・組立製造・販売・購入・使用のすべての面で扱い易く、間違いも生ぜず、価格的にも著しく有利になったという多くの優れた効果が有る。
【００１５】
この発明における請求項２および請求項９の各発明によれば、前記諸効果に加えて、前記平行開閉アーム５を釘間隔測定具３に設けたトリガ部材９で開閉制御できるから、釘間隔測定操作性が大幅に向上したという効果を付加できた。
【００１６】
この発明における請求項３および請求項１０の各発明では、前記諸効果に加え、前記各アーム４・５にそれぞれ外向き突面４Ａ・５Ａを形成したので、二本の障害釘２の内法間隔測定時に各アーム４・５自体をセル板面１にほぼ垂直に宛がっても、各アーム４・５自体を釘の大径頭部を避けて通過させることができ、釘間隔測定作業性をより一層向上させることができたという効果を付加できた。
【００１７】
この発明における請求項４の発明では、前記現字表示体Ａの表示面を釘間隔測定具３の外面に配置したので、前記各障害釘２の内法間隔Ｄを釘間隔測定具３の外面で数値表示可能となったし、この発明における請求項５および請求項６の発明のように、前記釘間隔測定具３をカバー部材１１で前記各アーム４・５およびトリガ部材９を除いて隠蔽すれば、扱い易く見栄えのよい釘間隔測定装置とすることができ、また、この発明における請求項７の発明のように、前記平行開閉アーム５にプーリ１２を設け、このプーリを前記カム部材１０に転接させ、平行開閉アーム５をトリガ部材９の操作で変位可能にすることで、より一層円滑に二本の障害釘２の内法間隔Ｄを測定することができたという効果を付加できた。
【図面の簡単な説明】
【図１】本発明装置の使用形態例を示す全体的な斜視図
【図２】本発明装置の外観形態例を示す要部透視の斜視図
【図３】本発明による釘間隔測定具の分解例を示す斜視図
【図４】本発明による釘間隔測定具の一例を示す平面図
【図５】本発明による釘間隔測定具の使用例を示す平面図
【図６】図４に示すものの斜視図
【図７】図６に示すものと状態を異にした斜視図
【図８】図１に示すものを反対方向から見た斜視図
【図９】本発明による釘間隔測定具の要部横断立面図
【図１０】本発明による釘間隔データ信号と釘間隔計数信号の一例を示す波形図
【符号の説明】
１    遊戯機におけるセル板面
２    セル板面に植設した障害釘
２Ａ  二本の障害釘の対向周面
３    釘間隔測定具
４    固定アーム
４Ａ  固定アームの外向き突面
５    平行開閉アーム
５Ａ  平行開閉アームの外向き突面
６    平行ガイド部材
７    ばね部材
８    ストッパ
９    トリガ部材
１０  カム部材
１１  カバー部材
１２  プーリ
Ｄ    二本の障害釘の内法間隔
Ｌ    可動光源
Ｐ    光源位置センサ
Ａ    現字表示体
Ｓ１  釘間隔データ信号
Ｓ２  釘間隔計数信号
【図１】
2004230006.tif 000003
【図２】
2004230006.tif 000004
【図３】
2004230006.tif 000005
【図４】
2004230006.tif 000006
【図５】
2004230006.tif 000007
【図６】
2004230006.tif 000008
【図７】
2004230006.tif 000009
【図８】
2004230006.tif 000010
【図９】
2004230006.tif 000011
【図１０】
2004230006.tif 000012